(57)【特許請求の範囲】
【請求項１】
画像データを出力する画像形成装置であって、
画像読取装置により読み取られた原稿の画像データに含まれる印刷制御情報から、前記読み取られた原稿の画像データを格納すべき格納装置の位置を示す第１のＩＰアドレス、前記格納装置における前記読み取られた原稿の画像データを格納すべきディレクトリ名、および、前記読み取られた原稿の画像データのファイル名を含む格納場所情報と、画像データの使用者を認証するために用いられる識別情報とを取得する取得手段と、
前記取得した第１のＩＰアドレスと、この画像形成装置の設置位置を示す第２のＩＰアドレスとが、同一のＬＡＮ内に含まれるか否かを判定する判定手段と、
前記第１のＩＰアドレスと前記第２のＩＰアドレスとが、同一ＬＡＮ内に含まれると判定された場合、前記取得した格納場所情報により特定された場所に格納された画像データを出力する出力手段と、
前記第１のＩＰアドレスと前記第２のＩＰアドレスとが同一ＬＡＮ内に含まれると判定された場合以外において、前記取得した識別情報に基づいて、使用者を認証する認証手段と
を有し、
前記出力手段は、
前記第１のＩＰアドレスと前記第２のＩＰアドレスとが同一ＬＡＮ内に含まれると判定された場合以外であって、前記使用者が認証された場合、前記取得した格納場所情報により特定された場所に格納された画像データを出力し、
前記第１のＩＰアドレスと前記第２のＩＰアドレスとが同一ＬＡＮ内に含まれると判定された場合以外であって、前記使用者が認証された場合以外は、前記取得した格納場所情報により特定された場所に格納された画像データとは異なる画像データを出力する
画像形成装置。
【請求項２】
前記出力手段は、前記取得手段により前記第１のＩＰアドレスが取得されなかった場合、画像データの出力を停止する
請求項１に記載の画像形成装置。
【請求項３】
画像読取装置により読み取られた原稿の画像データに含まれる印刷制御情報から、前記読み取られた原稿の画像データを格納すべき格納装置の位置を示す第１のＩＰアドレス、前記格納装置における前記読み取られた原稿の画像データを格納すべきディレクトリ名、および、前記読み取られた原稿の画像データのファイル名を含む格納場所情報と、画像データの使用者を認証するために用いられる識別情報とを取得する取得手段と、
前記取得した第１のＩＰアドレスと、この画像形成装置の設置位置を示す第２のＩＰアドレスとが、同一のＬＡＮ内に含まれるか否かを判定する判定手段と、
前記第１のＩＰアドレスと前記第２のＩＰアドレスとが、同一ＬＡＮ内に含まれると判定された場合、前記取得した格納場所情報により特定された場所に格納された画像データを出力する出力手段と、
前記第１のＩＰアドレスと前記第２のＩＰアドレスとが同一ＬＡＮ内に含まれると判定された場合以外において、前記取得した識別情報に基づいて、使用者を認証する認証手段と
を有し、
前記出力手段は、
前記第１のＩＰアドレスと前記第２のＩＰアドレスとが同一ＬＡＮ内に含まれると判定された場合以外であって、前記使用者が認証された場合、前記取得した格納場所情報により特定された場所に格納された画像データを出力し、
前記第１のＩＰアドレスと前記第２のＩＰアドレスとが同一ＬＡＮ内に含まれると判定された場合以外であって、前記使用者が認証された場合以外は、前記取得した格納場所情報により特定された場所に格納された画像データとは異なる画像データを出力する
画像形成システム。
【請求項４】
コンピュータを有する画像形成装置において、
画像読取装置により読み取られた原稿の画像データに含まれる印刷制御情報から、前記読み取られた原稿の画像データを格納すべき格納装置の位置を示す第１のＩＰアドレス、前記格納装置における前記読み取られた原稿の画像データを格納すべきディレクトリ名、および、前記読み取られた原稿の画像データのファイル名を含む格納場所情報と、画像データの使用者を認証するために用いられる識別情報とを取得する取得ステップと、
前記取得した第１のＩＰアドレスと、この画像形成装置の設置位置を示す第２のＩＰアドレスとが、同一のＬＡＮ内に含まれるか否かを判定する判定ステップと、
前記第１のＩＰアドレスと前記第２のＩＰアドレスとが、同一ＬＡＮ内に含まれると判定された場合、前記取得した格納場所情報により特定された場所に格納された画像データを出力する出力ステップと、
前記第１のＩＰアドレスと前記第２のＩＰアドレスとが同一ＬＡＮ内に含まれると判定された場合以外において、前記取得した識別情報に基づいて、使用者を認証する認証ステップと
を前記画像形成装置のコンピュータに実行させ、
前記出力ステップは、
前記第１のＩＰアドレスと前記第２のＩＰアドレスとが同一ＬＡＮ内に含まれると判定された場合以外であって、前記使用者が認証された場合、前記取得した格納場所情報により特定された場所に格納された画像データを出力し、
前記第１のＩＰアドレスと前記第２のＩＰアドレスとが同一ＬＡＮ内に含まれると判定された場合以外であって、前記使用者が認証された場合以外は、前記取得した格納場所情報により特定された場所に格納された画像データとは異なる画像データを出力する
プログラム。
【発明の詳細な説明】
【技術分野】
【０００１】
本発明は、画像形成装置、画像形成システム及びプログラムに関する。
【背景技術】
【０００２】
近年、パーソナルコンピュータやプリンタ、複写機の普及によって、印刷された機密文書の不正な複写（以降、不正コピーともいう）による情報漏洩の問題が出てきている。機密文書の不正コピーを抑制するために、機密文書の印刷時に印刷を行った使用者に関する情報、日時情報、出力した機器の識別情報等を例えば電子透かしとして埋め込んで出力し、印刷された原稿をスキャナ等で読み取り、読み取られた画像中に埋め込まれた使用者、クライアントＰＣ、プリンタ、日時等の情報を解析することで、情報漏洩元を推定することがよく知られている。
【０００３】
特許文献１では、画像データ上に付加した電子透かし等の情報から画像データが保存されているサーバを認識することにより、何度コピーしても画像劣化の無い出力画像を得ることができる手法が開示されている。
【０００４】
【特許文献１】特開２００４−１５３５６６号公報
【発明の開示】
【発明が解決しようとする課題】
【０００５】
本発明は、印刷物を複写する場合において、複写する場所に応じて、使用者に対して認証を要求することができる画像形成装置を提供することを目的とする。
【課題を解決するための手段】
【０００６】
請求項１に係る画像形成装置は、画像データの格納場所を示す格納場所情報、使用者を認証するための識別情報、及び使用者の認証が必要か否かを判定するための認証判定情報を読取画像から取得する取得手段と、前記取得手段により取得された認証判定情報に基づいて、使用者の認証を行うか否かを決定する認証決定手段と、使用者を認証するための情報を受け付ける受付手段と、前記認証決定手段により認証を行うと決定された場合、前記取得手段により取得された識別情報と前記受付手段により受け付けられた情報とを用いて使用者を認証する認証手段と、前記認証手段により使用者が認証された場合及び前記認証決定手段により認証を行わないと決定された場合、前記格納場所情報に格納されている画像データが印刷されるように制御する印刷制御手段とを有する。
【０００７】
請求項２に係る画像形成装置においては、前記認証決定手段は、前記取得手段により取得された格納場所情報を認証判定情報として用いる。
【０００８】
請求項３に係る画像形成装置においては、前記印刷制御手段は、前記認証手段により使用者が認証されなかった場合、前記格納場所情報に格納されている画像データとは異なる画像データが印刷されるように制御する。
【０００９】
請求項４に係る画像形成装置においては、  前記印刷制御手段は、前記格納場所情報が読取画像から取得されなかった場合、出力画像の印刷を停止する。
【００１０】
請求項５に係る画像形成システムは、画像データを記憶する画像記憶装置と、
前記画像記憶装置における画像データの格納場所を示す格納場所情報、使用者を認証するための識別情報、及び使用者の認証が必要か否かを判定するための認証判定情報を読取画像から取得する取得手段と、前記取得手段により取得された認証判定情報に基づいて、使用者の認証を行うか否かを決定する認証決定手段と、使用者を認証するための情報を受け付ける受付手段と、前記認証決定手段により認証を行うと決定された場合、前記取得手段により取得された識別情報と前記受付手段により受け付けられた情報とを用いて使用者を認証する認証手段と、前記認証手段により使用者が認証された場合及び前記認証決定手段により認証を行わないと決定された場合、前記格納場所情報に格納されている画像データが印刷されるように制御する印刷制御手段とを有する。
【００１１】
請求項６に係るプログラムは、コンピュータを有する画像形成装置において、画像データの格納場所を示す格納場所情報、使用者を認証するための識別情報、及び使用者の認証が必要か否かを判定するための認証判定情報を読取画像から取得する取得ステップと、前記取得された認証判定情報に基づいて、使用者の認証を行うか否かを決定する認証決定ステップと、使用者を認証するための情報を受け付ける受付ステップと、前記決定において認証を行うと決定された場合、前記取得された識別情報と前記受け付けられた情報とを用いて使用者を認証する認証ステップと、前記認証により使用者が認証された場合及び前記決定において認証を行わないと決定された場合、前記格納場所情報に格納されている画像データが印刷されるように制御する印刷制御ステップとを前記画像形成装置のコンピュータに実行させる。
【発明の効果】
【００１２】
請求項１、５及び６に係る本発明によれば、印刷物を複写する場合において、複写する場所に応じて、使用者に対して認証を要求することができるので、印刷データの安全性を確保することができる。
【００１３】
請求項２に係る本発明によれば、請求項１に係る本発明の効果に加えて、画像データの格納場所に基づいて、使用者に対して認証を要求することができる。
【００１４】
請求項３に係る本発明によれば、請求項１又は２に係る本発明の効果に加えて、使用者の認証ができなかった場合には、印刷物に予め対応付けされている画像データと異なる画像データを印刷することで、安全性を確保することができる。
【００１５】
請求項４に係る本発明によれば、請求項１又は２に係る本発明の効果に加えて、印刷物を社外で紛失したり、印刷物が不正に他人に渡ってしまった場合、元の原稿が流出することを防止することができる。
【発明を実施するための最良の形態】
【００１６】
図１は、本発明の実施形態に係る画像形成装置による印刷結果を説明する図である。
図１（Ａ）は、本発明の実施形態に係る画像形成装置により印刷された原稿を例示する。図１（Ａ）に例示するように、原稿には、不可視の電子透かしが印刷されている。電子透かしには、印刷した画像データを保存するサーバに関する情報（格納場所情報）と、使用者を認証するための情報（識別情報）と、使用者の認証が必要か否かを判定するための情報（認証判定情報）とが含まれている。このような情報を電子透かし情報ともいう。例えば、電子透かし情報には、格納場所情報として、サーバのＩＰアドレス、画像データを保存するディレクトリ、画像データのファイル名があり、識別情報として、使用者のＩＤ及びパスワードがあり、認証判定情報として、複写が許可された画像形成装置を識別する情報（例えば、ＩＰアドレス、ネットワークのドメインに関する情報等）がある。なお、認証判定情報として、格納場所情報を用いることもできる。  
【００１７】
また、原稿には、背景地紋画像が印刷されている。背景地紋画像は、例えば、潜像文字領域と背景領域の２つの領域で構成されており、それぞれの領域は、異なる微小パターンで構成されている。例えば、潜像文字領域は、比較的小さいドットパターンで構成され、背景領域は、２種類の微小な斜線パターンの配列で構成されている。
【００１８】
図１（Ｂ）は、図１（Ａ）に示される原稿が、本発明の実施形態に係る画像形成装置とは異なる画像形成装置により複写された印刷結果を例示する。図１（Ｂ）に例示するように、印刷結果には、潜像文字（本例では、「複写禁」の文字列）が浮かび上がっている。このように、潜像文字の領域には、潜像文字領域の背景地紋画像が印刷されており、原稿が複写されると、潜像文字領域が黒く塗りつぶされる。また、例えば印刷時の解像度と複写時における読み取りの解像度とが異なることにより、印刷結果における文字「Ａ」の画質は、劣化することがある。なお、本発明の実施形態に係る画像形成装置が、後述する高画質複製モード以外のモードで動作している場合においても、印刷結果は、図１（Ｂ）に示されるものとなる。
【００１９】
本発明の実施形態に係る画像形成装置は、原稿に埋め込まれた電子透かし情報から認証判定情報を取得し、この認証判定情報に基づいて、使用者の認証を行うか否かを決定する。例えば、認証判定情報として、ＩＰアドレス等、複写が許可された画像形成装置を識別する情報が用いられる。この場合、画像形成装置は、原稿から読み取ったＩＰアドレスが、使用者の認証を行う必要があるＩＰアドレスであるか否かを判定する。画像形成装置は、認証を行う必要がない場合、又は認証を行う必要があって使用者が認証された場合、高画質の画像（以降、高画質画像ともいう）をサーバから取得して印刷する。
【００２０】
また例えば、認証判定情報として、画像データが格納されているサーバのＩＰアドレスが用いられる。この場合、画像形成装置は、原稿から読み取ったＩＰアドレスにより識別されるサーバが、画像形成装置と同一ＬＡＮ（Local Area Network）内であるか否かを判定し、同一ＬＡＮ内ではない場合には認証を行うことを決定する。画像形成装置は、サーバと画像形成装置とが同一のＬＡＮに含まれる場合、又は同一のＬＡＮに含まれない場合であって使用者が認証された場合、高画質画像を印刷する。
【００２１】
なお、以降、サーバのＩＰアドレスと、画像形成装置のＩＰアドレスを比較することにより、使用者の認証を行うか否かを決定する手法を例として説明するが、決定手法は、本例に限定されない。つまり、画像形成装置が、使用者の認証を必要とする識別子を予め記憶しており、当該識別子と、原稿から読み取った認証判定情報とを比較することにより、判定処理を行えればよい。
【００２２】
図１（Ｃ）は、図１（Ａ）に示される原稿が、本発明の実施形態に係る画像形成装置により印刷された高画質画像を例示する。図１（Ｃ）に例示するように、原稿が複写された場合においても、「複写禁」の文字列は、浮かび上がらない。また、印刷時の解像度と複写時における読み取りの解像度とが異なる場合においても、画質は劣化せず、高画質画像が印刷される。なお、図１（Ｃ）に示される印刷結果においても、背景地紋画像は印刷されている。
【００２３】
画像形成装置は、使用者を認証するための情報として、例えば、使用者のＩＤ及びパスワードを受け付ける。画像形成装置は、使用者が認証された場合、即ち入力された使用者のＩＤ及びパスワードと、電子透かしに含まれる複写権限を有する使用者のＩＤ及びパスワードとが一致する場合、図１（Ｃ）に示される高画質画像を印刷する。なお、使用者の認証の方法は、本例に限定されず、例えば、複写権限を有する使用者のＩＤ及びパスワードは、電子透かしに含まれるＩＰアドレスにより識別されるサーバに記憶されていてもよい。
【００２４】
使用者が認証されなかった場合、画像形成装置は、高画質の画像とは異なる画像を印刷する。図１（Ｄ）は、図１（Ａ）に示される原稿が、本発明の実施形態に係る画像形成装置により複写され、使用者が認証されなかった場合の印刷結果を例示する。図１（Ｄ）に例示するように、印刷結果には、「複写禁」の文字列が含まれている。このように、使用者が認証されなかった場合、オリジナルの画像に対して、解像度の低い画像、「複写禁」又は「×」印などが背景に付加された画像、重要な文字・図形等が墨入れされた画像、又は写真領域がぼかされた画像などが印刷される。なお、以降、このような画像を低画質画像ともいう。
【００２５】
また、図１（Ｂ）〜図１（Ｄ）のいずれの印刷結果においても、電子透かしは、印刷されている。したがって、印刷結果が繰り返し複写される場合、電子透かし情報は、当該印刷結果が読み取られた読取画像データから取得される。
【００２６】
以降、本発明の実施形態に係る画像形成装置及び当該画像形成装置を含む画像形成システムを説明する。
図２は、本発明の実施形態に係る画像形成システム１を示す図である。
図２に示すように、画像形成システム１は、ネットワーク３を介して接続された画像形成装置１０及びサーバ２を含む。
【００２７】
サーバ２は、後述する記憶装置を含み、ＩＰアドレスにより識別されるコンピュータである。サーバ２は、所定のファイルシステム上で所定のディレクトリに、ファイルとして画像データを保存する。したがって、サーバ２は、画像を記憶する画像記憶装置を構成する。なお、ディレクトリは、フォルダともいう。
【００２８】
画像形成装置１０は、例えば、スキャナ等の読取装置とプリントエンジン等の印刷装置とを備えたコピー機、複合機等である。したがって、画像形成装置１０は、印刷（プリント）機能、複写（コピー）機能及び読取（スキャン）機能を有する。
【００２９】
ネットワーク３は、ＬＡＮ及びＷＡＮ（Wide Area Network）の少なくともいずれかにより構成されている。したがって、サーバ２及び画像形成装置１０は、所定のデータをネットワーク３を介して送信及び受信する。なお、ネットワーク３は、有線であってもよいし、無線であってもよい。
【００３０】
図３は、本発明の実施形態に係る画像形成装置１０のハードウェア構成を示す図である。
図３に示すように、画像形成装置１０は、ＣＰＵ１００、メモリ１０２、ハードディスクドライブ等の記憶装置１０４、ネットワーク３を介してサーバ２とデータの通信を行う通信装置１０６、タッチパネル又は液晶ディスプレイ並びにキーボードを含むユーザインタフェース（ＵＩ）装置１０８、画像を読み取って読取画像データをＣＰＵ１００に対して出力する例えばスキャナ等の読取装置１１０、及び読取装置１１０又は通信装置１０６を介して入力された画像を記録用紙上に印刷する印刷装置１１２を有する。これらの構成要素は、バス１１４を介して互いに接続されている。なお、サーバ２もまた、ＣＰＵ１００、メモリ１０２、記憶装置１０４など、図３に示されるハードウェア構成と同等の構成を有する。
【００３１】
画像形成装置１０は、複数のモードで動作する。具体的には、画像形成装置は、高画質複製モード又はそれ以外のモードで動作する。高画質複製モードでは、原稿が複写されると、図１（Ｃ）に示される高画質画像及び図１（Ｄ）に示される低画質画像のいずれかの印刷結果が出力される。高画質複製モード以外のモードでは、図１（Ｂ）に示される印刷結果が出力される。
【００３２】
図４は、画像形成装置１０により実行される画像複写プログラム２０の機能構成を示す図である。
図４に示すように、画像複写プログラム２０は、印刷制御部２００、識別子取得部２０２、識別子比較部２０４、認証部２０６、印刷データ取得部２０８及び電子透かし埋込み部２１０を有する。画像複写プログラム２０は、例えば、通信装置１０６を介して供給され、メモリ１０２にロードされて、ＣＰＵ１００で動作するＯＳ上で、ハードウェアを具体的に利用して実行される。なお、画像複写プログラム２０の全部又は一部の機能は、画像形成装置１０に設けられたハードウェアにより実現されてもよい。
【００３３】
画像複写プログラム２０において、識別子取得部２０２（取得手段）は、読取装置１１０により読み取られた読取画像データから印刷制御情報（サーバのＩＰアドレス等を含む格納場所情報、識別情報及び認証判定情報）を取得する。具体的には、識別子取得部２０２は、読取画像の所定の領域に含まれる電子透かしに埋め込まれた印刷制御情報（電子透かし情報）を取得する。
【００３４】
識別子比較部２０４は、識別子取得部２０２により取得されたサーバ２のＩＰアドレスと、予め記憶されている画像形成装置１０のＩＰアドレスとを比較し、比較結果を後述する印刷制御部２０４に対して出力する。より具体的には、識別子比較部２０４は、サーバ２のＩＰアドレスと画像形成装置１０のＩＰアドレスとが同一の組織に含まれるか否かを判定する。例えば、識別子比較部２０４は、サブネットマスクなどを用いて、これらのＩＰアドレスが同一のＬＡＮに含まれるか否かを判定する。このようにして、識別子比較部２０４は、取得された認証判定情報に基づいて使用者の認証を行うか否かを決定する認証決定手段を構成する。
【００３５】
認証部２０６は、識別子比較部２０４による比較結果に応じて異なる水準で認証を行う。例えば、認証部２０６は、上記の２つのＩＰアドレスが同一の組織に含まれる場合にはパスワードを要求せず、そうでない場合にはパスワードを要求する。また例えば、認証部２０６は、上記の２つのＩＰアドレスが同一の組織に含まれる場合にはパスワードを要求し、そうでない場合には個人ＩＤ及びパスワードを要求する。認証部２０６は、例えば、パスワードを入力する旨のメッセージをＵＩ装置１０８に表示し、ＵＩ装置１０８を介して入力されるパスワードを受け付ける。このため、ＵＩ装置１０８は、使用者を認証するための情報を受け付ける受付手段を構成する。
【００３６】
印刷データ取得部２０８は、印刷制御部２００の制御により、通信装置１０６を介してサーバ２から画像データを取得する。より具体的には、印刷データ取得部２０８は、サーバ２のＩＰアドレス、ディレクトリ及びファイル名（即ち、格納場所情報）を印刷制御部２００から受け付け、当該ＩＰアドレス等に基づいてネットワーク３を介してサーバ２にアクセスし、当該ディレクトリに保存されている画像データを取得する。
【００３７】
電子透かし埋込み部２１０は、印刷制御部２００の制御により、読取装置１１０により読み取られた読取画像データ及び印刷データ取得部２０８により取得された画像データのいずれかに、電子透かし及び背景地紋画像を合成する。例えば、電子透かし埋込み部２１０は、出力画像の所定の色成分へ背景地紋画像を論理和合成する。なお、印刷データ取得部２０８により取得された画像データには、背景地紋画像が予め合成されていてもよい。この場合、電子透かし埋込み部２１０は、電子透かしを画像データに合成する。
【００３８】
印刷制御部２００は、画像複写プログラム２０の各構成要素を制御し、これらの構成要素との間でデータの入出力を行い、出力画像を生成し、出力画像データを印刷装置１１２に対して出力する。また、印刷制御部２００は、画像形成装置１０のモードに基づいて各構成要素を制御する。
【００３９】
具体的には、画像形成装置１０が、高画質複製モード以外のモードで動作している場合、印刷制御部２００は、読取装置１１０により読み取られた読取画像に電子透かしを合成するように電子透かし埋込み部２１０を制御する。この場合、出力画像は、電子透かしが合成された読取画像である。
【００４０】
画像形成装置１０が、高画質複製モードで動作している場合、印刷制御部２００は、認証部２０６による認証結果に対応する出力画像が印刷されるように制御する。具体的には、印刷制御部２００は、以下のように動作する。
【００４１】
印刷制御部２００は、識別子比較部２０４によりサーバ２のＩＰアドレスと画像形成装置１０のＩＰアドレスとが同一の組織に含まれると判定された場合、高画質の画像が印刷されるように制御する。この場合、印刷制御部２００は、識別子取得部２０２により取得された印刷制御情報を印刷データ取得部２０８に対して出力し、高画質画像の画像データを取得するように印刷データ取得部２０８を制御する。また、印刷制御部２００は、印刷データ取得部２０８により取得された画像データに背景地紋画像及び電子透かしを合成するように電子透かし埋込み部２１０を制御する。
【００４２】
また、印刷制御部２００は、識別子比較部２０４によりサーバ２のＩＰアドレスと画像形成装置１０のＩＰアドレスとが異なる組織に含まれると判定された場合、使用者の認証を行うように認証部２０６を制御する。印刷制御部２００は、認証部２０６により使用者が認証された場合、高画質の画像が印刷されるように制御する。
【００４３】
印刷制御部２００は、認証部２０６により使用者が認証されなかった場合、低画質画像が印刷されるように制御する。低画質画像は、潜像文字が予め印刷されるように合成された画像であってもよい。なお、印刷制御部２００は、認証部２０６により使用者が認証されなかった場合、出力画像の印刷を停止してもよい。
【００４４】
図５は、本発明の第１の実施形態に係る画像形成装置１０の複写時における全体動作（Ｓ１０）を示すフローチャートである。
図５に示すように、ステップ１００（Ｓ１００）において、画像形成装置１０上で動作する画像複写プログラム２０の印刷制御部２００は、読取装置１１０により読み取られた読取画像データを受け付ける。
【００４５】
ステップ１０２（Ｓ１０２）において、印刷制御部２００は、モードが高画質複製モードか否かを判定する。印刷制御部２００は、モードが高画質複製モードである場合にはＳ１０４の処理に進み、そうでない場合にはＳ１１６の処理に進む。
【００４６】
ステップ１０４（Ｓ１０４）において、印刷制御部２００は、読取画像データを識別子取得部２０２に対して出力する。識別子取得部２０２は、読取画像データの電子透かしから印刷制御情報を取得して、印刷制御部２００に対して出力する。
【００４７】
ステップ１０６（Ｓ１０６）において、印刷制御部２００は、印刷制御情報に含まれるサーバ２のＩＰアドレスを識別子比較部２０４に対して出力する。識別子比較部２０４は、サーバ２のＩＰアドレスと画像形成装置１０のＩＰアドレスとを比較することにより、サーバ２と画像形成装置１０とが同一のＬＡＮに含まれているか否かを判定し、判定結果を印刷制御部２００に対して出力する。印刷制御部２００は、サーバ２と画像形成装置１０とが同一のＬＡＮに含まれている場合にはＳ１０８の処理に進み、そうでない場合にはＳ１１０の処理に進む。
【００４８】
ステップ１０８（Ｓ１０８）において、印刷制御部２００は、印刷制御情報に含まれるサーバ２のＩＰアドレス及び高画質画像の保存場所（ディレクトリ及びファイル名）を印刷データ取得部２０８に対して出力する。印刷データ取得部２０８は、ネットワーク３を介してサーバ２にアクセスし、サーバ２から高画質画像の画像データを取得して印刷制御部２００に対して出力する。印刷制御部２００は、このようにして取得された高画質画像の画像データを出力画像とし、Ｓ１１８の処理に進む。
【００４９】
一方、サーバ２と画像形成装置１０とが同一のＬＡＮに含まれていない場合、ステップ１１０（Ｓ１１０）において、認証部２０６は、ＵＩ装置１０８を介して使用者のＩＤ及びパスワードの入力を受け付ける。認証部２０６は、入力されたＩＤ及びパスワードと、印刷制御情報に含まれるＩＤ及びパスワードとが一致するか否かを判定することにより使用者を認証し、認証結果を印刷制御部２００に対して出力する。印刷制御部２００は、使用者が認証された場合にはＳ１０８の処理に進み、そうでない場合にはＳ１１４の処理に進む。
【００５０】
ステップ１１４（Ｓ１１４）において、印刷制御部２００は、印刷制御情報に含まれるサーバ２のＩＰアドレス及び低画質画像の保存場所を印刷データ取得部２０８に対して出力する。印刷データ取得部２０８は、ネットワーク３を介してサーバ２にアクセスし、サーバ２から低画質画像の画像データを取得して印刷制御部２００に対して出力する。印刷制御部２００は、このようにして取得された低画質画像の画像データを出力画像とし、Ｓ１１８の処理に進む。
【００５１】
また、画像形成装置１０のモードが高画質複製モード以外のモードである場合、ステップ１１６（Ｓ１１６）において、印刷制御部２００は、読取画像の画像データを出力画像とし、Ｓ１１８の処理に進む。
【００５２】
ステップ１１８（Ｓ１１８）において、印刷制御部２００は、出力画像の画像データを電子透かし埋込み部２１０に対して出力する。電子透かし埋込み部２１０は、印刷制御情報を含む電子透かしを出力画像データに埋め込んで、印刷制御部２００に対して出力する。
【００５３】
ステップ１２０（Ｓ１２０）において、印刷制御部２００は、電子透かしが埋め込まれた出力画像データを印刷装置１１２に対して出力する。印刷装置１１２は、用紙などの記憶媒体に出力画像を印刷する。
【００５４】
次に、本発明の第２の実施形態に係る画像形成装置１０を説明する。
本発明の第２の実施形態に係る画像形成装置１０は、画像形成装置１０のモードに拘らず、読取画像データから印刷制御情報が取得されなかった場合には画像の印刷を停止する点で、第１の実施形態に係る画像形成装置１０とは異なる。
【００５５】
図６は、本発明の第２の実施形態に係る画像形成装置１０の複写時における全体動作（Ｓ２０）を示すフローチャートである。なお、図６に示された各処理のうち、図５に示された処理と実質的に同一のものには同一の符号が付されている。
図６に示すように、Ｓ１００の処理で、読取画像データが受け付けられると、Ｓ１０４の処理で、印刷制御情報が読取画像データから取得される。ここで、識別子取得部２０２は、印刷制御情報を取得できなかった場合、その旨を印刷制御部２００に対して出力する。
【００５６】
ステップ２００（Ｓ２００）において、印刷制御部２００は、印刷制御情報が取得されたか否かを判定する。印刷制御部２００は、印刷制御情報が取得された場合にはＳ１０６の処理に進み、そうでない場合にはＳ２０２の処理に進む。
【００５７】
印刷制御情報が取得された場合、Ｓ１０６〜Ｓ１２０の処理で、識別子比較処理、認証処理等が実行されて、高画質画像及び低画質画像のいずれかが印刷される。一方、印刷制御情報が取得されなかった場合、ステップ２０２（Ｓ２０２）において、印刷制御部２００は、画像の印刷を停止する。したがって、この場合、読み取られた原稿は複写されない。
【図面の簡単な説明】
【００５８】
【図１】本発明の実施形態に係る画像形成装置による印刷結果を説明する図である。
【図２】本発明の実施形態に係る画像形成システム１を示す図である。
【図３】本発明の実施形態に係る画像形成装置１０のハードウェア構成を示す図である。
【図４】画像形成装置１０により実行される画像複写プログラム２０の機能構成を示す図である。
【図５】本発明の第１の実施形態に係る画像形成装置１０の複写時における全体動作（Ｓ１０）を示すフローチャートである。
【図６】本発明の第２の実施形態に係る画像形成装置１０の複写時における全体動作（Ｓ２０）を示すフローチャートである。
【符号の説明】
【００５９】
１ 画像形成システム
２ サーバ
３ ネットワーク
１０ 画像形成装置
２０ 画像複写プログラム
１００ ＣＰＵ
１０２ メモリ
１０４ 記憶装置
１０６ 通信装置
１０８ ＵＩ装置
１１０ 読取装置
１１２ 印刷装置
２００ 印刷制御部
２０２ 識別子取得部
２０４ 印刷制御部
２０４ 識別子比較部
２０６ 認証部
２０８ 印刷データ取得部
２１０ 電子透かし埋込み部
【図１】
0004877122.tif 000002
【図２】
0004877122.tif 000003
【図３】
0004877122.tif 000004
【図４】
0004877122.tif 000005
【図５】
0004877122.tif 000006
【図６】
0004877122.tif 000007